(57)【要約】【課題】カメラに適用することが可能なノイズキャンセルユニットを提供すること【解決手段】本技術のノイズキャンセルユニットは、ダクトと、ノイズキャンセルユニット本体と、固定部とを具備する。ノイズキャンセルユニットは、カメラの排気口に接続され排気口から排出された排気流が流通するダクトと、ダクトに設けられた第１のマイクロフォンと、第１のマイクロフォンより下流においてダクトに設けられたスピーカと、スピーカより下流においてダクトに設けられた第２のマイクロフォンと、第１のマイクロフォン及び第２のマイクロフォンの出力に基づいて排気流に含まれる雑音を除去するための音信号を生成しスピーカに供給する信号処理回路とを有する。固定部は、ノイズキャンセルユニット本体を、ダクトが排気口に接続されるようにカメラに着脱可能に固定する。【選択図】図１
2012233942.tif 000002
【特許請求の範囲】
【請求項１】
カメラの排気口に接続され前記排気口から排出された排気流が流通するダクトと、前記ダクトに設けられた第１のマイクロフォンと、前記第１のマイクロフォンより下流において前記ダクトに設けられたスピーカと、前記スピーカより下流において前記ダクトに設けられた第２のマイクロフォンと、前記第１のマイクロフォン及び前記第２のマイクロフォンの出力に基づいて前記排気流に含まれる雑音を除去するための音信号を生成し前記スピーカに供給する信号処理回路とを有するノイズキャンセルユニット本体と、
前記ノイズキャンセルユニット本体を、前記ダクトが前記排気口に接続されるように前記カメラに着脱可能に固定する固定部と
を具備するノイズキャンセルユニット。
【請求項２】
請求項１に記載のノイズキャンセルユニットであって、
前記固定部は、前記カメラに接続されたブラケットを介して前記ノイズキャンセルユニット本体を前記カメラに固定する
ノイズキャンセルユニット。
【請求項３】
請求項２に記載のノイズキャンセルユニットであって、
前記固定部は、前記ノイズキャンセルユニット本体を収容する筐体と、前記ブラケットに設けられたシャフトに回転可能に係合する前記筐体に設けられたフックと、前記ブラケットにネジ留めされる前記筐体に設けられたネジ孔とを有する
ノイズキャンセルユニット。
【請求項４】
請求項３に記載のノイズキャンセルユニットであって、
前記ダクトは、弾性部材を介して前記排気口に接続される
ノイズキャンセルユニット。
【請求項５】
請求項１に記載のノイズキャンセルユニットであって、
前記固定部は、前記ノイズキャンセルユニット本体を収容する筐体と、前記カメラに設けられたシャフトに回転可能に係合する前記筐体に設けられたフックと、前記カメラにネジ留めされる前記筐体に設けられたネジ孔とを有する
ノイズキャンセルユニット。
【発明の詳細な説明】
【技術分野】
【０００１】
本技術は、動画撮像用カメラに装着されるノイズキャンセルユニットに関する。
【背景技術】
【０００２】
動画撮像用カメラ（以下、単にカメラ）において、冷却ファンの動作音等のノイズが撮影時に問題となる場合がある。このようなノイズに対し、カメラに覆い被せてノイズの外部への漏洩を防止するケース（防音ブリンプ）が用いられることが多い。
【０００３】
しかしながら、防音ブリンプは、カメラに覆い被せられるためにサイズが大きく、かつ重量も重くなるため、撮像の妨げになるといった問題がある。一方、近年、ノイズに対して逆位相の音波を付加し、ノイズを低減するアクティブノイズキャンセルが普及している。例えば、非特許文献１には、ファンからの排気が流通するダクトに、上記ノイズ集音マイクロフォン、スピーカ及びモニタ用マイクロフォンが設けられたアクティブサイレンサーを搭載したプロジェクタが開示されている。
【先行技術文献】
【非特許文献】
【０００４】
【非特許文献１】"Ｐａｎａｓｏｎｉｃプロジェクターカタログ"、［online］、２００３年７月、[２０１１年３月３１日検索]、ｐ５  インターネット＜URL:http://takarajima2.sakura.ne.jp/tokutoku/th-d9610j_3.pdf＞
【発明の概要】
【発明が解決しようとする課題】
【０００５】
しかしながら、上記のようなアクティブノイズキャンセラが有効なノイズキャンセルを実施するためには、アクティブノイズキャンセラの原理上、ある程度の長さのダクトが必要となる。したがって、内部空間が制限されるカメラの場合には、アクティブノイズキャンセラを搭載することは困難であった。
【０００６】
以上のような事情に鑑み、本技術の目的は、カメラに適用することが可能なノイズキャンセルユニットを提供することにある。
【課題を解決するための手段】
【０００７】
上述の課題を解決するため、本技術の一形態に係るノイズキャンセルユニットは、ダクトと、ノイズキャンセルユニット本体と、固定部とを具備する。
上記ノイズキャンセルユニットは、カメラの排気口に接続され上記排気口から排出された排気流が流通するダクトと、上記ダクトに設けられた第１のマイクロフォンと、上記第１のマイクロフォンより下流において上記ダクトに設けられたスピーカと、上記スピーカより下流において上記ダクトに設けられた第２のマイクロフォンと、上記第１のマイクロフォン及び上記第２のマイクロフォンの出力に基づいて上記排気流に含まれる雑音を除去するための音信号を生成し上記スピーカに供給する信号処理回路とを有する。
上記固定部は、上記ノイズキャンセルユニット本体を、上記ダクトが上記排気口に接続されるように上記カメラに着脱可能に固定する。
【０００８】
この構成によれば、カメラの排気口から排出された排気流がダクトに流入し、第１のマイクロフォンが排気流に含まれるノイズ音を集音し、信号処理回路に出力する。信号処理回路は、第１のマイクロフォンによって生成された音信号に所定のキャンセル特性を乗じ、スピーカに出力する。スピーカは、信号処理回路から出力された音信号を受けて、ノイズキャンセル音を発音する。第２のマイクロフォンは、ノイズキャンセルがされた音を集音し、信号処理回路に出力する。信号処理回路は、第２のマイクロフォンから出力された音信号に基づいて、上記キャンセル特性を調整する。このため固定部が、このような構成を有するノイズキャンセルユニット本体を、ダクトが排気口に接続されるようにカメラに着脱可能に固定することにより、ノイズキャンセルユニットはカメラからの排気音にアクティブノイズキャンセルを施すことが可能となる。また、ノイズキャンセルユニットはカメラに対して着脱可能であるので、必要に応じてノイズキャンセルユニットをカメラに装着させることが可能となる。
【０００９】
上記固定部は、上記カメラに接続されたブラケットを介して上記ノイズキャンセルユニット本体を上記カメラに固定してもよい。
【００１０】
この構成によれば、カメラにノイズキャンセルユニットの装着のための特別な構成が設けられていなくても、カメラにノイズキャンセルユニットを装着することが可能となる。即ち、本技術に係るノイズキャンセルユニットは、種々のカメラに対して汎用的に装着することが可能である。
【００１１】
上記固定部は、上記ノイズキャンセルユニットを収容する筐体と、上記ブラケットに設けられたシャフトに回転可能に係合する上記筐体に設けられたフックと、上記ブラケットにネジ留めされる上記筐体に設けられたネジ孔とを有してもよい。
【００１２】
この構成によれば、ノイズキャンセルユニット本体を収容する筐体は、フックがシャフトに係合することにより、シャフトを回転軸として回転可能に支持される。したがってユーザは、フックをシャフトに係合させて筐体を回転させることにより、筐体のネジ孔をブラケットのネジ孔に一致させることができ、ネジ孔の位置合わせを要することなくノイズキャンセルユニットをブラケットに固定することが可能となる。
【００１３】
上記ダクトは、弾性部材を介して上記排気口に接続されてもよい。
【００１４】
この構成によれば、筐体がブラケットにネジ留めされる際に弾性部材が変形し、ダクトをカメラの排気口に確実に接続することが可能である。
【００１５】
上記固定部は、上記ノイズキャンセルユニット本体を収容する筐体と、上記カメラに設けられたシャフトに回転可能に係合する上記筐体に設けられたフックと、上記カメラにネジ留めされる上記筐体に設けられたネジ孔とを有してもよい。
【００１６】
この構成によれば、ノイズキャンセルユニット本体を収容する筐体は、フックがシャフトに係合することにより、シャフトを回転軸として回転可能に支持される。したがって、ユーザは、フックをシャフトに係合させて筐体を回転させることにより、筐体のネジ孔をカメラのネジ孔に一致させることができ、ネジ孔の位置合わせを要することなくノイズキャンセルユニットをカメラに固定することが可能となる。
【発明の効果】
【００１７】
以上のように、本技術によれば、カメラに適用することが可能なノイズキャンセルユニットを提供することが可能となる。
【図面の簡単な説明】
【００１８】
【図１】本技術の実施形態に係るのノイズキャンセルユニットが装着されたカメラの斜視図である。
【図２】同ノイズキャンセルユニットが装着されたカメラの上面図である。
【図３】同ノイズキャンセルユニットが装着されたカメラの正面図である。
【図４】同ノイズキャンセルユニットとカメラの分解斜視図である。
【図５】カメラとブラケットの分解斜視図である。
【図６】ブラケットの斜視図である。
【図７】本技術の実施形態に係るノイズキャンセルユニットの表側の斜視図である。
【図８】同ノイズキャンセルユニットの裏側の斜視図である。
【図９】同ノイズキャンセルユニットの分解斜視図である。
【図１０】同ノイズキャンセルユニットのノイズキャンセルユニット本体の斜視図である。
【図１１】同ノイズキャンセルユニットのノイズキャンセルユニット本体の分解斜視図である。
【図１２】同ノイズキャンセルユニットのダクト本体の斜視図である。
【図１３】同ノイズキャンセルユニットのダクトの斜視図である。
【図１４】同ノイズキャンセルユニットのダクト本体へのスピーカ、第１マイクロフォン及び第２マイクロフォンの取り付け方法を示す図である。
【図１５】同ノイズキャンセルユニットのカメラへの装着方法を示す図である。
【図１６】同ノイズキャンセルユニットのカメラへの装着方法を示す図である。
【図１７】同ノイズキャンセルユニットのカメラへの装着方法を示す図である。
【図１８】カメラに装着された同ノイズキャンセルユニットを示す図である。
【図１９】カメラの排気口と同ノイズキャンセルユニットのダクト吸気口との接続を示す図である。
【発明を実施するための形態】
【００１９】
＜ノイズキャンセルユニットの使用態様＞
本実施形態に係るノイズキャンセルユニットの使用態様について説明する。このノイズキャンセルユニットは、動画撮影用カメラ（以下、単にカメラ）に装着されて用いられるものである。図１はノイズキャンセルユニット２０が装着されたカメラ１０を示す斜視図である。図２は同カメラ１０の上面図であり、図３は同カメラ１０の正面図である。図４は、カメラ１０とノイズキャンセルユニット２０の分解斜視図である。
【００２０】
図４に示すように、カメラ１０は排気口１１を有し、ノイズキャンセルユニット２０はこの排気口１１に接続可能に構成されている。以下、カメラ１０の排気口１１をカメラ排気口１１とする。ノイズキャンセルユニット２０は、このカメラ排気口１１から排出される排気流に含まれるノイズを減衰させるためのものである。ノイズキャンセルユニット２０が装着可能なカメラはここに示すものに限られず、種々の形態のカメラに装着させることが可能である。図１等に示すカメラ１０は、レンズ取り付け部１２や、図示しない各種スイッチ等を具備するものである。
【００２１】
ノイズキャンセルユニット２０は、ブラケットを用いてカメラ１０へ装着されるものとすることができる。図５は、カメラ１０とブラケット３０の分解斜視図であり、図６はブラケット３０の斜視図である。
【００２２】
これらの図に示すように、ブラケット３０は板状の部材であり、カメラ１０の排気口１１が設けられた側壁に面するようにカメラ１０に接続される。ブラケット３０には、ネジ孔３１、シャフト３２及び雌ネジ３３が設けられている。
【００２３】
ネジ孔３１はブラケット３０をカメラ１０にネジ留めするためのネジ孔である。ネジ孔３１の配置や設置数は任意であり、ブラケット３０をカメラ１０に確実に配置できるものであればよい。
【００２４】
シャフト３２は、所定の長さを有する円棒形状の部材である。シャフト３２は、板状のブラケット３０に平行に配置されるものとすることができる。シャフト３２は耐摩耗性を有する材料、例えば金属からなるものとすることができる。
【００２５】
雌ネジ３３はノイズキャンセルユニット２０をブラケット３０にネジ留めするための雌ネジである。雌ネジ３３の配置や設置数は任意であるが、ブラケット３０がカメラ１０に装着された際に、排気口１１の近傍となる位置が好適である。これは、ノイズキャンセルユニット２０のダクト（後述）を排気口１１に確実に固定するためである。
【００２６】
このように、ノイズキャンセルユニット２０は、ブラケット３０を介してカメラ１０に接続されるものとすることができる。このため、カメラ１０にノイズキャンセルユニット２０の装着のための特別な構成が設けられていなくても、ノイズキャンセルユニット２０をカメラに装着させることが可能である。即ち、ノイズキャンセルユニット２０は、種々のカメラに対して汎用的に装着することが可能である。
【００２７】
なお、ノイズキャンセルユニット２０はブラケット３０を介さず、直接カメラ１０に装着されるものとすることも可能である。その場合、上記シャフト３２及び雌ネジ３３に相当する構成がカメラ１０に必要である。
【００２８】
＜ノイズキャンセルユニットの構造＞
ノイズキャンセルユニットの構造について説明する。以下の説明において、ノイズキャンセルユニット２０をカメラ１０に装着した際に、カメラ１０と反対側となる側をノイズキャンセルユニット２０の表側とし、カメラ１０側となる側を裏側とする。
【００２９】
図７はノイズキャンセルユニット２０の表側を示す斜視図である。同図に示すように、ノイズキャンセルユニット２０には、筐体排気口２２が設けられている。筐体排気口２２は、カメラ排気口１１から排出され、ノイズキャンセルユニット２０を通過した排気が排出される排気口であり、詳細は後述する。
【００３０】
図８はノイズキャンセルユニット２０の裏側を示す斜視図である。同図に示すようにノイズキャンセルユニット２０には、筐体吸気口２３が設けられている。筐体吸気口２３は、カメラ１０の排気口１１と同一の大きさに形成され、整流用のメッシュ等によって被覆されたものとすることができる。また、筐体吸気口２３の周囲には、筐体吸気口２３をカメラ１０の排気口に密着させるための弾性部材２４が設けられている。また、ノイズキャンセルユニット２０の裏側には、ブラケット３０のシャフト３２に引っ掛かるフック２５が設けられている。なお、フック２５の幅は、シャフト３２の長さと同程度とすることが好適である。
【００３１】
図９は、ノイズキャンセルユニット２０の分解斜視図である。同図に示すように、ノイズキャンセルユニット２０は、ノイズキャンセルユニット本体（以下、単にユニット本体）２００、筐体カバー２２０及び筐体蓋２３０を有する。ユニット本体２００は筐体カバー２２０及び筐体蓋２３０によって構成される筐体に収容されている。筐体カバー２２０がノイズキャンセルユニット２０の表側であり、筐体蓋２３０がノイズキャンセルユニット２０の裏側である。
【００３２】
筐体カバー２２０及び筐体蓋２３０は、ユニット本体２００を被覆することが可能な形状に形成されている。筐体カバー２２０には、上記筐体排気口２２が設けられている。筐体蓋２３０には、ネジ孔２１、筐体吸気口２３、弾性部材２４及びフック２５が設けられている。また、筐体蓋２３０には、ユニット本体２００を筐体蓋２３０に固定するためのネジ孔及び筐体カバー２２０を筐体蓋２３０に固定するためのネジ孔が複数形成されている。
【００３３】
＜ノイズキャンセルユニット本体の構成＞
図１０はユニット本体２００の斜視図であり、図１１はユニット本体２００の分解斜視図である。これらの図に示すように、ユニット本体２００は、ダクト本体２０１、ダクト蓋２０２、回路基板２０３、スピーカ２０４、第１マイクロフォン２０５、第２マイクロフォン２０６、スピーカカバー２０７及び吸音材２０８を有する。ダクト本体２０１にダクト蓋２０２が接合され、ダクト蓋２０２に回路基板２０３が固定されている。スピーカ２０４、第１マイクロフォン２０５、第２マイクロフォン２０６、スピーカカバー２０７及び吸音材２０８はそれぞれダクト本体２０１に取り付けられている。
【００３４】
図１２は、ダクト本体２０１の斜視図である。ダクト本体２０１は、ダクト蓋２０２が接合されることにより後述する「ダクト」を画成する形状に形成されている。ダクト本体２０１には、スピーカ２０４が接続される開口２０１ａ、第１マイクロフォン２０５が接続される開口２０１ｂ及び第２マイクロフォン２０６が接続される開口２０１ｃが形成されている。これらの開口は、ダクト２４０の上流から下流に向かって開口２０１ｂ、開口２０１ａ、開口２０１ｃの順で形成されている。
【００３５】
ダクト蓋２０２（図１１参照）は、板状の部材であり、ネジ留めによってダクト本体２０１に接合されるものとすることができる。ダクト蓋２０２は、上述のように、ダクト本体２０１に接合されることにより、ダクト本体２０１と共にダクトを形成する。
【００３６】
図１３は、ダクト本体２０１及びダクト蓋２０２が接合されて形成されたダクト２４０を示す斜視図である。同図に示すように、ダクト本体２０１とダクト蓋２０２が接合されることにより、ダクト吸気口２０９及びダクト排気口２１０が形成され、ダクト吸気口２０９からダクト排気口２１０に連通するダクト２４０が形成される。
【００３７】
回路基板２０３（図１０及び図１１参照）は、ダクト蓋２０２の、ダクト本体２０１側とは反対側に固定される。回路基板２０３には、ユニット本体２００を構成するスピーカ２０４、第１マイクロフォン２０５及び第２マイクロフォン２０６といった電装部品を制御するための信号処理回路２５０が搭載されている。信号処理回路２５０は、カメラ１０と図示しない配線によって接続され、電力供給を受けるものとすることができる。
【００３８】
図１４は、ダクト本体２０１へのスピーカ２０４、第１マイクロフォン２０５及び第２マイクロフォン２０６の取り付け方法を示す斜視図である。
【００３９】
スピーカ２０４は、ダクト本体２０１に形成された開口２０１ａに嵌挿される。スピーカ２０４は、信号処理回路２５０による制御を受けて、ダクト２４０内に所定の「ノイズキャンセル音」を放音する。このキャンセル音については後述する。スピーカ２０４は一般的なスピーカを用いることが可能である。
【００４０】
第１マイクロフォン２０５は、ダクト本体２０１に形成された開口２０１ｂに嵌挿される。第１マイクロフォン２０５は、ダクト２４０内の音を集音し、信号処理回路２５０に出力する。第１マイクロフォン２０５は一般的なマイクロフォンを用いることが可能である。
【００４１】
第２マイクロフォン２０６は、ダクト本体２０１に形成された開口２０１ｃに嵌挿される。第２マイクロフォン２０６は、ダクト２４０内の音を集音し、信号処理回路２５０に出力する。第２マイクロフォン２０６は一般的なマイクロフォンを用いることが可能である。
【００４２】
第１マイクロフォン２０５、スピーカ２０４及び第２マイクロフォン２０６は、ダクト本体２０１にそれぞれ取り付けられることにより、ダクト２４０において上流から下流に向かって、この順で配置される。
【００４３】
スピーカカバー２０７は、ダクト本体２０１に取り付けられたスピーカ２０４の周囲を被覆し、スピーカ２０４から発音される音のダクト２４０外への漏洩を防止する。
【００４４】
吸音材２０８は、ダクト２４０の壁面に複数が設けられている。吸音材２０８は、例えばスポンジのような吸音性を有する材料からなり、その設置位置に応じた形状に形成されている。
【００４５】
ノイズキャンセルユニット２０の動作を概略的に説明すると次のようになる。ダクト吸気口２０９の近傍に設けられた第１マイクロフォン２０５は、ダクト吸気口２０９からダクト２４０に流入するノイズを集音し、信号処理回路２５０に出力する。信号処理回路２５０は、第１マイクロフォン２０５によって生成された音信号に所定のキャンセル特性を乗じ、ダクト排気口２１０の近傍に設けられたスピーカ２０４に出力する。スピーカ２０４は、信号処理回路２５０から出力された音信号を受けて、ノイズキャンセル音（以下、キャンセル音）を発音する。ダクト排気口２１０の近傍に設けられた第２マイクロフォン２０５は、ノイズキャンセルが施された音を集音し、信号処理回路２５０に出力する。信号処理回路２５０は、第２マイクロフォンから出力された音信号に基づいて、上記キャンセル特性を調整する。
【００４６】
ノイズキャンセルユニット２０は以上のような構成を有する。上述のように信号処理回路２５０は、第１マイクロフォン２０５及び第２マイクロフォン２０６によって集音された音に基づいてキャンセル特性を乗じる。したがって、第１マイクロフォン２０５や第２マイクロフォン２０６に、スピーカ２０４から放出されたキャンセル音が直接に集音されると、信号処理回路２５０が有効なキャンセル特性を算出することができない。このため、第１マイクロフォン２０５及び第２マイクロフォン２０６をスピーカ２０４から離間させる必要が生じ、即ちダクト２４０はある程度の長さを有するものとする必要がある。また、ノイズキャンセルユニット２０が有効に機能するためには、ダクト吸気口２０９に連通する筐体吸気口２３が、カメラ１０の排気口１１に確実に接続されている必要がある。
【００４７】
＜ノイズキャンセルユニットの装着方法＞
ノイズキャンセルユニット２０の、ブラケット３０を介したカメラ１０への装着方法について説明する。図１５乃至図１７はノイズキャンセルユニット２０のカメラ１０の装着方法を示す図であり、図１８はカメラ１０に装着されたノイズキャンセルユニット２０を示す図である。図１９は、カメラ１０の排気口１１とノイズキャンセルユニット２０のダクト吸気口２０９の接続を示す図である。
【００４８】
図１５に示すように、ノイズキャンセルユニット２０の裏側に設けられたフック２５を、ブラケット３０のシャフト３２に引っ掛け、図１６に示すようにフック２５をシャフト３２に係合させる。この際、これらの図に示すように、ノイズキャンセルユニット２０をブラケット３０に対して傾けると、ノイズキャンセルユニット２０がブラケット３０に干渉せず、容易に引っ掛けることができる。
【００４９】
次に、図１６に示すように、ノイズキャンセルユニット２０をシャフト３２を回転軸として回転させ、図１７に示すようにブラケット３０に接触させる。この際、シャフト３２が水平方向となるようにカメラ１０の向きを調整すれば、フック２５をシャフト３２に引っ掛けた後に手を離すことによって、ノイズキャンセルユニット２０が自然に回転し、ノイズキャンセルユニット２０に設けられたネジ孔２１がブラケット３０の雌ネジ３３に一致する。
【００５０】
続いて、図１７及び図１８に示すように、ネジＡを用いてネジ孔２１を雌ネジ３３にネジ留めする。ノイズキャンセルユニット２０は、フック２５によりシャフト３２に係合しているため、ネジ孔２１の位置を調整することなくネジ留めが可能である。図１９に示すようにネジ留めによって弾性部材２４（図８参照）が弾性変形し、筐体吸気口２３が排気口１１に密着し、即ちダクト吸気口２０９が排気口１１に密着する。したがって、ノイズキャンセルユニット２０によるノイズキャンセル効果を有効に発揮させることが可能である。
【００５１】
本実施形態に係るノイズキャンセルユニット２０は以上のように構成されている。ノイズキャンセルユニット２０によりカメラ１０の排気口１１から排出される排気に対してアクティブノイズキャンセルを施すことが可能である。また、ノイズキャンセルユニット２０はカメラ１０に対して着脱可能であるので、必要に応じてノイズキャンセルユニット２０をカメラ１０に装着させることが可能である。
【００５２】
本技術はこの実施形態にのみ限定されるものではなく、本技術の要旨を逸脱しない範囲内において変更することが可能である。
【００５３】
上記実施形態では、ノイズキャンセルユニットをネジ留めによってブラケットに固定するものとしたが、固定手段はこれに限られない。例えば、キャッチクリップのような着脱容易な固定手段によってノイズキャンセルユニットをブラケットに固定するものとすることも可能である。
【００５４】
なお、本技術は以下のような構成も採ることができる。
【００５５】
（１）
カメラの排気口に接続され上記排気口から排出された排気流が流通するダクトと、上記ダクトに設けられた第１のマイクロフォンと、上記第１のマイクロフォンより下流において上記ダクトに設けられたスピーカと、上記スピーカより下流において上記ダクトに設けられた第２のマイクロフォンと、上記第１のマイクロフォン及び上記第２のマイクロフォンの出力に基づいて上記排気流に含まれる雑音を除去するための音信号を生成し上記スピーカに供給する信号処理回路とを有するノイズキャンセルユニット本体と、
上記ノイズキャンセルユニット本体を、上記ダクトが上記排気口に接続されるように上記カメラに着脱可能に固定する固定部と
を具備するノイズキャンセルユニット。
【００５６】
（２）上記（１）に記載のノイズキャンセルユニットであって、
上記固定部は、上記カメラに接続されたブラケットを介して上記ノイズキャンセルユニット本体を上記カメラに固定する
ノイズキャンセルユニット。
【００５７】
（３）上記（１）又は（２）に記載のノイズキャンセルユニットであって、
上記固定部は、上記ノイズキャンセルユニット本体を収容する筐体と、上記ブラケットに設けられたシャフトに回転可能に係合する上記筐体に設けられたフックと、上記ブラケットにネジ留めされる上記筐体に設けられたネジ孔とを有する
ノイズキャンセルユニット。
【００５８】
（４）上記（１）から（３）のうちいずれかひとつに記載のノイズキャンセルユニットであって、
上記ダクトは、弾性部材を介して上記排気口に接続される
ノイズキャンセルユニット。
【００５９】
（５）上記（１）から（４）のうちいずれかひとつに記載のノイズキャンセルユニットであって、
上記固定部は、上記ノイズキャンセルユニット本体を収容する筐体と、上記カメラに設けられたシャフトに回転可能に係合する上記筐体に設けられたフックと、上記カメラにネジ留めされる上記筐体に設けられたネジ孔とを有する
ノイズキャンセルユニット。
【符号の説明】
【００６０】
２０…ノイズキャンセルユニット
２１…ネジ孔
２５…フック
２００…ノイズキャンセルユニット本体
２２０…筐体カバー
２３０…筐体蓋
【図１】
2012233942.tif 000003
【図２】
2012233942.tif 000004
【図３】
2012233942.tif 000005
【図４】
2012233942.tif 000006
【図５】
2012233942.tif 000007
【図６】
2012233942.tif 000008
【図７】
2012233942.tif 000009
【図８】
2012233942.tif 000010
【図９】
2012233942.tif 000011
【図１０】
2012233942.tif 000012
【図１１】
2012233942.tif 000013
【図１２】
2012233942.tif 000014
【図１３】
2012233942.tif 000015
【図１４】
2012233942.tif 000016
【図１５】
2012233942.tif 000017
【図１６】
2012233942.tif 000018
【図１７】
2012233942.tif 000019
【図１８】
2012233942.tif 000020
【図１９】
2012233942.tif 000021